(57)【要約】本発明は記録されるデータストリームの再生を管理するためのデータ構造を有する記録媒体とそれによる記録及び再生方法及び装置に関する。前記記録媒体のデータ構造はプレーリスト内に少なくとも一つのプレーアイテムを保存するナビゲーション領域を含む。前記プレーアイテムは前記プレーアイテムと連係されるデータストリームを指し示すストリーム指示フィールドを含む。例えば、前記ストリーム指示フィールドは前記プレーアイテムと連係されるデータストリームのパケット識別子を指し示す。
2006520988.tif 000002
【特許請求の範囲】
【請求項１】
記録されるデータストリームの再生を管理するためのデータ構造を有する記録媒体において、
プレーリスト内に少なくとも一つのプレーアイテムを保存するナビゲーション領域を含んで構成されて、
ここで、前記プレーアイテムは前記プレーアイテムと連係されるデータストリームを指し示すストリーム指示フィールドを含むことを特徴とする記録媒体。
【請求項２】
請求項１に記載の記録媒体において、前記ストリーム指示フィールドは前記プレーアイテムと連係されるデータストリームのパケット識別子（ＰＩＤ）を指し示すことを特徴とする記録媒体。
【請求項３】
請求項１に記載の記録媒体において、
複数のデータストリームを保存するデータ領域をさらに含んで構成されて、
ここで、前記ストリーム指示フィールドは、前記複数のデータストリームのうちどれが前記プレーアイテムと連係されるかを指し示すことを特徴とする記録媒体。
【請求項４】
請求項３に記載の記録媒体において、前記データ領域は前記複数のデータストリームをパケット化されたデータストリームで保存して、各パケットはパケット識別子（ＰＩＤ）を含んで、前記ストリーム指示フィールドは前記プレーアイテムと連係されるデータストリームのＰＩＤを指し示すことを特徴とする記録媒体。
【請求項５】
請求項４に記載の記録媒体において、前記データストリームはエレメンタリーデータストリームであることを特徴とする記録媒体。
【請求項６】
請求項５に記載の記録媒体において、前記データ領域は前記エレメンタリーデータストリームをトランスポートストリームで保存することを特徴とする記録媒体。
【請求項７】
請求項６に記載の記録媒体において、前記データ領域は前記データストリームを相互に多重化して保存することを特徴とする記録媒体。
【請求項８】
請求項３に記載の記録媒体において、前記データストリームはエレメンタリーデータストリームであることを特徴とする記録媒体。
【請求項９】
請求項８に記載の記録媒体において、前記データ領域は前記エレメンタリーデータストリームをトランスポートストリームで保存することを特徴とする記録媒体。
【請求項１０】
請求項９に記載の記録媒体において、前記データ領域は前記データストリームを相互に多重化して保存することを特徴とする記録媒体。
【請求項１１】
請求項３に記載の記録媒体において、前記データ領域はエレメンタリーデータストリームをトランスポートストリームで保存することを特徴とする記録媒体。
【請求項１２】
請求項１１に記載の記録媒体において、前記データ領域は前記データストリームを相互に多重化して保存することを特徴とする記録媒体。
【請求項１３】
請求項３に記載の記録媒体において、前記複数のデータストリームはビデオデータストリームを含むことを特徴とする記録媒体。
【請求項１４】
請求項１３に記載の記録媒体において、前記複数のデータストリームは、オーディオデータストリーム、グラフィックデータストリーム、及びサブタイトルデータストリームのうち少なくとも一つ及びビデオデータストリームを含むことを特徴とする記録媒体。
【請求項１５】
記録されるデータストリームの再生を管理するためのデータ構造を有する記録媒体において、
少なくとも一つのプレーリストを保存するナビゲーション領域を含んで構成されて、
ここで、前記プレーリストは前記プレーリストと連係されるデータストリームを指し示すストリーム指示フィールドを含むことを特徴とする記録媒体。
【請求項１６】
請求項１５に記載の記録媒体において、前記ストリーム指示フィールドは前記プレーリストと連係されるデータストリームのパケット識別子（ＰＩＤ）を指し示すことを特徴とする記録媒体。
【請求項１７】
記録されるデータストリームの再生を管理するためのデータ構造を記録する方法であって、
前記記録媒体のプレーリスト内に少なくとも一つのプレーアイテムを記録することを含んで構成されて、
ここで、前記プレーアイテムは前記プレーアイテムと連係されるデータストリームを指し示すストリーム指示フィールドを含むことを特徴とする方法。
【請求項１８】
記録されたデータストリームの再生を管理するためのデータ構造を再生する方法であって、
プレーリスト内に少なくとも一つのプレーアイテムを記録媒体から再生することを含んで構成されて、
ここで、前記プレーアイテムは前記プレーアイテムと連係されるデータストリームを指し示すストリーム指示フィールドを含むことを特徴とする方法。
【請求項１９】
記録されるデータストリームの再生を管理するためのデータ構造を記録する装置であって、
記録媒体にデータを記録する光記録手段を駆動する駆動器；及び
前記記録媒体のプレーリスト内に少なくとも一つのプレーアイテムを記録するように前記駆動器を制御する制御器を含んで構成されて、
ここで、前記プレーアイテムは前記プレーアイテムと連係されるデータストリームを指し示すストリーム指示フィールドを含むことを特徴とする装置。
【請求項２０】
記録されたデータストリームの再生を管理するためのデータ構造を再生する装置であって、
記録媒体に記録されたデータを再生する光再生手段を駆動する駆動器；及び
プレーリスト内に少なくとも一つのプレーアイテムを記録媒体から再生するように前記駆動器を制御する制御器を含んで構成されて、
ここで、前記プレーアイテムは前記プレーアイテムと連係されるデータストリームを指し示すストリーム指示フィールドを含むことを特徴とする装置。
【発明の詳細な説明】
【技術分野】
【０００１】
本発明は記録されるデータストリームの再生を管理するためのデータ構造を有する記録媒体、前記データ構造を再生して記録するための装置及び方法に関する。
【背景技術】
【０００２】
最近では、高画質のビデオデータと高音質のオーディオデータを高容量記録できる新しい高密度再生専用または再起録可能光ディスクに対する規格化作業が急速に展開されて、再起録可能ブルーレイディスク（ＢＤ−ＲＥ：Ｂｌｕ−ｒａｙ  Ｄｉｓｃ  Ｒｅｗｒｉｔａｂｌｅ）のような新しい光ディスクと関連した製品がまもなく商用化されることと期待されている。
【０００３】
図１は、再起録可能ブルーレイディスク（ＢＤ−ＲＥ）のファイル構造を示したものである。前記ファイル構造またはデータ構造は前記ＢＤ−ＲＥに記録されるビデオオーディオデータの再生を管理するために提供される。図１に示したように、データ構造は少なくとも一つ以上の‘ＢＤＡＶ’ディレクトリ（Ｄｉｒｅｃｔｏｒｙ）を有するルートディレクトリを含む。前記‘ＢＤＡＶ’ディレクトリには‘ｉｎｆｏ．ｂｄａｖ’、‘ｍｅｎｕ．ｔｉｄｘ’、‘ｍａｒｋ．ｔｉｄｘ’、‘＊．ｒｐｌｓ’、及び‘＊．ｖｐｌｓ’のようなプレーリストファイルが貯蔵されるＰＬＡＹＬＩＳＴサブディレクトリ（ｓｕｂｄｉｒｅｃｔｏｒｙ）、‘＊．ｃｌｐｉ’のようなクリップ情報ファイルが貯蔵されるＣＬＩＰＩＮＦサブディレクトリ、そして前記クリップ情報ファイルに対応するＭＰＥＧ−２フォーマットのＡ／Ｖストリームクリップファイルが貯蔵されるＳＴＲＥＡＭサブディレクトリが含まれる。図１は、前記ディスクのデータ構造だけでなくディスクの領域を見せてくれる。例えば、‘ｉｎｆｏ．ｂｄａｖ’のような一般情報ファイルは前記ディスクの一般情報領域に貯蔵される。
【０００４】
図１に図示したＢＤ−ＲＥのデータ構造とディスクフォーマットは広く知られて容易に利用できるので、以後ファイル構造に対しては簡単に説明する。
【０００５】
前述したように、ＳＴＲＥＡＭディレクトリにはクリップ（Ｃｌｉｐ）またはクリップファイルと呼ばれるＭＰＥＧ−２フォーマットのＡ／Ｖストリームファイルが含まれて、またブリッジ−クリップＡ／Ｖストリームファイル（Ｂｒｉｄｇｅ−ｃｌｉｐ  Ａ／Ｖ  ｓｔｒｅａｍ  ｆｉｌｅ）という特別な形態のクリップも含まれることができる。ブリッジ−クリップファイルはクリップファイルのうちから選択された二つ以上の再生区間を滑らかに連結するために使われて、一般に前記クリップに比べて大きさが小さい。前記Ａ／Ｖストリームにはビデオオーディオデータに対するソースパケット（Ｓｏｕｒｃｅ  Ｐａｃｋｅｔｓ）が含まれる。例えば、前記ビデオオーディオデータに対するソースパケットにはヘッダー（Ｈｅａｄｅｒ）と伝送パケット（Ｔｒａｎｓｐｏｒｔ  Ｐａｃｋｅｔ）が含まれる。一つのソースパケットには自身に接近するための住所役割をするソースパケット番号（ＳＰＮｓ：Ｓｏｕｒｃｅ  Ｐａｃｋｅｔ  Ｎｕｍｂｅｒｓ）が含まれるが、前記ソースパケット番号は一般に次々と番号が割り当てられる。伝送パケットには一つのパケットＩＤ（ＰＩＤ：Ｐａｃｋｅｔ  Ｉｄｅｎｔｉｆｉｅｒ）が含まれるが、前記ＰＩＤは伝送パケットが属する一連の伝送パケット（Ｓｅｑｕｅｎｃｅ  ｏｆ  Ｔｒａｎｓｐｏｒｔ  Ｐａｃｋｅｔｓ）を識別して、前記一連の伝送パケットにある各伝送パケットはＰＩＤが同じである。以後、前記一連の伝送パケットを伝送パケットシーケンスという。
【０００６】
前記ＣＬＩＰＩＮＦディレクトリには各Ａ／Ｖストリームファイルに連係するクリップ情報ファイルが含まれる。前記クリップ情報ファイルは連係するＡ／Ｖストリームの類型、シーケンス情報（Ｓｅｑｕｅｎｃｅ  Ｉｎｆｏｒｍａｔｉｏｎ）、プログラム情報、そしてタイミング情報を指す。前記シーケンス情報は到着時間基準（Ａｒｒｉｖａｌ  Ｔｉｍｅ  Ｂａｓｉｓ、ＡＴＣ）シーケンスとシステム時間基準（Ｓｙｓｔｅｍ  Ｔｉｍｅ  Ｂａｓｉｓ、ＳＴＣ）シーケンスを記述する。例えば、前記シーケンス情報はシーケンスの数、各シーケンスの開始と終わり時間情報、各シーケンスで一番目ソースパケットの住所、そして各シーケンスにある伝送パケットのＰＩＤを指す。プログラムのコンテンツが続く伝送パケットシーケンスはプログラムシーケンスと呼ばれる。前記プログラム情報はプログラムシーケンスの個数、各プログラムシーケンスの開始住所、そしてプログラムシーケンスにある伝送パケットのＰＩＤを指す。
【０００７】
タイミング情報は特徴ポイント情報（ＣＰＩ：Ｃｈａｒａｃｔｅｒｉｓｔｉｃ  Ｐｏｉｎｔ  Ｉｎｆｏｒｍａｔｉｏｎ）と呼ばれる。前記ＣＰＩの一形態がエントリーポイントマップ（Ｅｎｔｒｙ  Ｐｏｉｎｔ（ＥＰ）Ｍａｐ）である。前記ＥＰマップは、例えば、到着時間ＡＴＣ及び／またはシステム時間ＳＴＣを基準にして、ソースパケットの住所（例えば、ソースパケットの番号）に対するタイムスタンプ（Ｔｉｍｅ  Ｓｔａｍｐ）を表示する。前記プレゼンテーションタイムスタンプ（ＰＴＳ）とソースパケット番号（ＳＰＮ）はＡ／ＶストリームのＥＰと関連される。すなわち、前記ＰＴＳと関連されたＳＰＮはＡ／Ｖストリーム上のＥＰを指し示す。前記指し示されるパケットはたびたびエントリーポイントパケットと呼ばれる。
【０００８】
ＰＬＡＹＬＩＳＴディレクトリには一つ以上のプレーリストファイルがある。プレーリストは再生のためのクリップを容易に編集したり組み合わせるために導入された概念である。プレーリストファイルはクリップにある再生区間（Ｐｌａｙｉｎｇ  Ｉｎｔｅｒｖａｌｓ）の集合であって、各再生区間はプレーアイテム（Ｐｌａｙｉｔｅｍ）と呼ばれる。前記プレーリストファイルはプレーリストを形成する各プレーアイテムを識別して、各プレーアイテムは、クリップの時間軸上の位置（例えば、ＡＴＣまたはＳＴＣ基準でプレゼンテーションタイムスタンプ（ＰＴＳｓ：Ｐｒｅｓｅｎｔａｔｉｏｎ  Ｔｉｍｅ  Ｓｔａｍｐ））を指すＩＮ−ｐｏｉｎｔとＯＵＴ−ｐｏｉｎｔの対である。換言すれば、プレーリストファイルはプレーアイテムを識別して、各プレーアイテムは一つのクリップまたはその一部を指してクリップと連係するクリップ情報ファイルを識別する。前記クリップ情報ファイルは前記プレーアイテムをソースパケットのクリップに連結（Ｍａｐ）するために使われる。
【０００９】
ＰＬＡＹＬＩＳＴディレクトリには実際プレーリスト（Ｒｅａｌ  Ｐｌａｙｌｉｓｔ）（＊．ｒｐｌｓ）と仮想プレーリスト（Ｖｉｒｔｕａｌ  Ｐｌａｙｌｉｓｔ）（＊．ｖｐｌｓ）が含まれることができる。実際プレーリストはクリップだけを用いてブリッジ−クリップは用いることができない。すなわち、実際プレーリストはクリップの一部を参照することと見なされるので、概念的にディスク上でクリップの一部を参照することと同等なことに見なされる。仮想プレーリストはクリップとブリッジ−クリップをすべて用いることができるので、実際プレーリストの概念は仮想プレーリストと併行しない。
【００１０】
‘ｉｎｆｏ．ｂｄａｖ’ファイルは光ディスクに記録されるＡ／Ｖストリームの再生を管理する一般的な情報を提供する一般情報ファイルであって、さらに詳細には同じＢＤＡＶディレクトリのＰＬＡＹＬＩＳＴディレクトリにあるプレーリストのファイル名を識別するプレーリスト目録を含む。
【００１１】
‘ｍｅｎｕ．ｔｉｄｘ’、‘ｍｅｎｕ．ｔｄｔ１’、及び‘ｍｅｎｕ．ｔｄｔ２’ファイルはメニューｔｈｕｍｂｎａｉｌｓと関連した情報を貯蔵する。‘ｍａｒｋ．ｔｉｄｘ’、‘ｍａｒｋ．ｔｄｔ１’、及び‘ｍａｒｋ．ｔｄｔ２’ファイルはマークｔｈｕｍｂｎａｉｌｓと関連した情報を貯蔵する。このようなファイルは本発明と直接的な関連がないので、これ以上詳細な説明は省略する。
【発明の開示】
【発明が解決しようとする課題】
【００１２】
最近ではブルーレイロム（ＢＤ−ＲＯＭ：Ｂｌｕ−ｒａｙ  ＲＯＭ）のような高密度再生専用光ディスクに対する規格化作業が進行中にある。しかし、ＢＤ−ＲＯＭのような高密度再生専用光ディスクに記録される多様なコンポーネント（ｃｏｍｐｏｎｅｎｔ）データの再生を管理するデータ構造に対する効率的な解決方案がまだ用意されていない。
【課題を解決するための手段】
【００１３】
したがって、本発明は前記のような実情を勘案して創作されたものであって、本発明による記録媒体には前記記録媒体に記録されるデータストリームの再生を管理するためのデータ構造が含まれる。
【００１４】
本発明の一実施形態で、前記記録媒体のナビゲーション領域はプレーリスト内に少なくとも一つのプレーアイテムを保存する。前記プレーアイテムは前記プレーアイテムと連係されるデータストリームを指し示すストリーム指示フィールドを含む。例えば、前記記録媒体のデータ領域は複数のデータストリームを保存して、前記ストリーム指示フィールドは、前記複数のデータストリームのうちどれが前記プレーアイテムと連係されるかを指し示す。
【００１５】
一実施形態で、前記データ領域は前記複数のデータストリームをパケット化されたデータストリームで保存して、各パケットはパケット識別子（ＰＩＤ）を含む。ここで、前記ストリーム指示フィールドは前記プレーアイテムと連係されるデータストリームのＰＩＤを指し示す。
【００１６】
一実施形態で、前記データストリームはエレメンタリーデータストリームであって、前記エレメンタリーデータストリームはトランスポートストリームで保存される。
【００１７】
前記複数のデータストリームは、例えばビデオデータストリーム、オーディオデータストリーム、グラフィックデータストリーム及び／またはサブタイトルデータストリームを含むことができる。
【発明の効果】
【００１８】
また、本発明によるデータ構造を記録して再生するための装置と方法が提示されて、本発明によって記録して再生するデータストリームが提示される。
【発明を実施するための最良の形態】
【００１９】
以下、本発明に対する望ましい実施形態に対して、添付した図面を参照しながら詳細に説明する。
【００２０】
本発明による高密度光ディスク、例えばＢＤ−ＲＯＭ、ＢＤ−ＲＥなどは、図２に示したように、ビデオとオーディオデータの再生を管理するファイルまたはデータ構造を有する。図２のような本発明によるデータ構造はいろいろな面で公知されたＢＤ−ＲＥのデータ構造と同様である。したがって、同様の部分は詳細な説明を省略する。
【００２１】
図２に示したように、ルートディレクトリには少なくとも一つ以上のＢＤディレクトリがある。前記ＢＤディレクトリには、一般ファイル（図示せず）、プレーリスト（例えば、*．ｍｐｌｓ）ファイルが貯蔵されるＰＬＡＹＬＩＳＴディレクトリ、クリップ情報ファイル（*．ｃｌｐｉ）が貯蔵されるＣＬＩＰＩＮＦディレクトリ、及びクリップ情報ファイルに対応するＭＰＥＧ−２フォーマットのＡ／Ｖストリームクリップファイル（*．ｍ２ｔｓ）が貯蔵されるＳＴＲＥＡＭディレクトリがある。
【００２２】
前記ＳＴＲＥＡＭディレクトリにはクリップまたはクリップファイルと呼ばれるＭＰＥＧ−２フォーマットのＡ／Ｖストリームクリップファイルが含まれて、前記Ａ／Ｖストリームにはビデオとオーディオソースパケット（Ｓｏｕｒｃｅ  Ｐａｃｋｅｔｓ）が含まれる。例えば、ビデオデータのソースパケットにはヘッダーとトランスポートパケット（Ｔｒａｎｓｐｏｒｔ  Ｐａｃｋｅｔ）が含まれる。ソースパケットにはソースパケット番号が含まれるが、前記ソースパケット番号は一般的にソースパケットにアクセスするための住所役割をするように次々と割り当てられる番号である。トランスポートパケットにはパケット識別子（ＰＩＤ：Ｐａｃｋｅｔ  Ｉｄｅｎｔｉｆｉｅｒ）が含まれるが、前記ＰＩＤはトランスポートパケットが属するトランスポートパケットのシーケンス（Ｓｅｑｕｅｎｃｅ）を識別する。前記シーケンスにある各トランスポートパケットはＰＩＤが同じである。
【００２３】
前記ＣＬＩＰＩＮＦディレクトリには各Ａ／Ｖストリームファイルに連係するクリップ情報ファイルが含まれる。前記クリップ情報ファイルは連係するＡ／Ｖストリームの類型、シーケンス情報、プログラム情報、及びタイミング情報が含まれる。前記シーケンス情報は到着時間基準（ＡＴＣ）とシステム時間基準（ＳＴＣ）のシーケンスを説明する。例えば、前記シーケンス情報はシーケンスの数、各シーケンスのスタートと終わり時間情報、各シーケンスでの１番目ソースパケットの住所、及び各シーケンスでのトランスポートパケットのＰＩＤを指す。プログラムのコンテンツが一定なソースパケットのシーケンスがプログラムシーケンスと呼ばれる。プログラム情報はプログラムシーケンスの数、各プログラムシーケンスのスタート住所、及びプログラムシーケンスにあるトランスポートパケットのＰＩＤを指す。
【００２４】
前記タイミング情報は特徴ポイント情報（ＣＰＩ：Ｃｈａｒａｃｔｅｒｉｓｔｉｃ  Ｐｏｉｎｔ  Ｉｎｆｏｒｍａｔｉｏｎ）と呼ばれる。ＣＰＩの一つの類型がエントリーポイント（ＥＰ：Ｅｎｔｒｙ  Ｐｏｉｎｔ）マップ（Ｍａｐ）である。前記ＥＰマップは、例えば到着時間（ＡＴＣ）及び／またはシステム時間（ＳＴＣ）を基準にして、プレゼンテーションタイムスタンプ（ＰＴＳ：Ｐｒｅｓｅｎｔａｔｉｏｎ  Ｔｉｍｅ  Ｓｔａｍｐ）をソースパケット番号（ＳＰＮ：Ｓｏｕｒｃｅ  Ｐａｃｋｅｔ  Ｎｕｍｂｅｒ）のようなソースパケット住所に連結（ｍａｐ）する。前記プレゼンテーションタイムスタンプ（ＰＴＳ）とソースパケット番号（ＳＰＮ）はＡ／Ｖストリームにあるエントリーポイント（ＥＰ）と関連される。すなわち、前記ＰＴＳとこれと関連したＳＰＮはＡ／Ｖストリームのエントリーポイント（ＥＰ）を指す。指されるパケットはたびたびエントリーポイントパケットと呼ばれる。
【００２５】
ＰＬＡＹＬＩＳＴディレクトリには一つ以上のプレーリストファイルがある。プレーリストは再生用クリップ（クリップファイル及び連係するクリップ情報ファイル）を容易に編集したり組み合わせるために導入された概念である。プレーリストファイルはクリップにある再生区間（Ｐｌａｙｉｎｇ  Ｉｎｔｅｒｖａｌｓ）の集合であって、各再生区間はプレーアイテム（Ｐｌａｙｉｔｅｍ）と呼ばれる。前記プレーリストファイルはプレーリストを形成する各プレーアイテムを識別して、各プレーアイテムは、例えばＡＴＣまたはＳＴＣを基準にするプレゼンテーションタイムスタンプのような、クリップの時間軸上の位置を指すＩＮ−ｐｏｉｎｔとＯＵＴ−ｐｏｉｎｔの対である。前記プレーリストファイルは、クリップファイルの時間軸上の位置を指し示すＩＮ−ｐｏｉｎｔとＯＵＴ−ｐｏｉｎｔの対をまた提供するサブプレーアイテム（ｓｕｂ−ｐｌａｙｉｔｅｍ）も含むことができる。言い換えると、プレーリストファイルはプレーアイテムとサブプレーアイテムを識別して、各プレーアイテムまたはサブプレーアイテムは一つのクリップファイルまたはその一部を指してクリップファイルと連係するクリップ情報ファイルを識別する。前記クリップ情報ファイルは前記プレーアイテムをソースパケットのクリップファイルに連結するのに使われる。プレーリストはクリップファイル内の特定位置（例えば、特定住所）を指し示すプレーリストマーク（Ｐｌａｙｌｉｓｔ  ｍａｒｋ）も含むことができる。
【００２６】
一般情報ファイル（図示せず）は光ディスクに記録されるＡ／Ｖストリームの再生を管理するための一般情報を提供する。
【００２７】
図２では、本発明による記録媒体のデータ構造を説明するだけでなく、記録媒体の領域を見せてくれている。例えば、前記一般情報ファイルは少なくとも一つ以上の一般情報領域に記録されて、ＰＬＡＹＬＩＳＴディレクトリは少なくとも一つ以上のＰＬＡＹＬＩＳＴディレクトリ領域に記録されて、ＰＬＡＹＬＩＳＴディレクトリ内の各プレーリストは前記記録媒体の少なくとも一つ以上のプレーリスト領域に記録される。図２では図２のデータ構造を有する記録媒体に対する一例を見せてくれる。図２に示したように、前記記録媒体にはファイルシステム情報領域、データベース（Ｄａｔａｂａｓｅ）領域、そしてＡ／Ｖストリーム領域が含まれる。前記データベース領域には、一般情報ファイルとプレーリスト情報領域、及びクリップ情報領域が含まれる。前記一般情報ファイルとプレーリスト情報領域には、一般情報ファイル領域の一般情報ファイルと、プレーリスト情報領域のＰＬＡＹＬＩＳＴディレクトリとプレーリストファイルが記録される。前記クリップ情報領域には、ＣＬＩＰＩＮＦディレクトリと関連されるクリップ情報ファイルが記録される。前記Ａ／Ｖストリーム領域には多様なタイトルのＡ／Ｖストリームが記録される。
【００２８】
ビデオとオーディオデータは一般的に個別タイトルで編成されている。例えば、ビデオとオーディオデータにより表現される他の映画は他のタイトルで編成される。また、タイトルは、本が普通チャプター（Ｃｈａｐｔｅｒｓ）で編成されるように、多くのチャプターで編成されることができる。
【００２９】
ＢＤ−ＲＯＭ、ＢＤ−ＲＥのような新しい高密度記録媒体の貯蔵容量が非常に大きいため、いろいろなバージョンのタイトルがまたは１タイトルの一部が貯蔵されて再生されることができる。例えば、他のカメラ角度のビデオデータが記録媒体に記録されたり、他の例として、タイトルに対するいろいろなバージョンまたは他の言語と関連した一部も前記記録媒体に記録されることができる。また他の例として、タイトルに対する監督バージョン（Ｄｉｒｅｃｔｏｒ’ｓＶｅｒｓｉｏｎ）または映画館用バージョンも前記記録媒体に記録されることができる。または、１タイトルに対して完全成人バージョン、準成人バージョン、そして父母が制限することができる青少年バージョン、または１タイトルの一部が前記記録媒体に記録されることができる。各バージョン、各カメラアングルなどは他の再生経路を有して、このような場合のビデオデータは多重再生経路ビデオデータ（Ｍｕｌｔｉｐｌｅ  Ｒｅｐｒｏｄｕｃｔｉｏｎ  Ｐａｔｈ  Ｖｉｄｅｏ  Ｄａｔａ）と呼ばれる。
【００３０】
ＢＤ−ＲＯＭのような新しい高密度記録媒体の貯蔵容量が大きいため、停止映像は、例えばスライドショーのように、用意した（Ｏｒｇａｎｉｚｅｄ）方式及び／またはユーザーインタラクティブ（Ｉｎｔｅｒａｃｔｉｖｅ）方式で記録されて再生されることができる。本発明による、高密度光ディスクで停止映像の再生を管理するためのデータ構造が停止映像の記録及び再生に関する本発明による方法及び装置発明と共に説明される。
【００３１】
図４はＢＤ−ＲＯＭのような高密度記録媒体のデータストリームを管理するデータ構造と方法に対する実施形態を示したものである。図４に示したように、前記ＢＤ−ＲＯＭに記録されるビデオ、オーディオ、サブタイトル、及び／またはグラフィックデータ等のような多様なコンポーネント（Ｃｏｍｐｏｎｅｎｔ）またはエレメンタリー（Ｅｌｅｍｅｎｔａｒｙ）データストリームは、クリップファイルで記録管理されることができる。図４の実施形態では、前記コンポーネントデータストリームがマルチストーリー、マルチパレンタル（Ｐａｒｅｎｔａｌ）、またはマルチアングルデータストリーム等のようなマルチ再生経路を示すことを指し示している。しかし、本発明のデータストリームはマルチ再生経路のみを指し示すのに限定されない。
【００３２】
前記エレメンタリーまたはコンポーネントデータストリームは、一連のＭＰＥＧ  ２トランスポートストリームパケット（Ｔｒａｎｓｐｏｒｔ  Ｓｔｒｅａｍ  Ｐａｃｋｅｔ）で構成される。前記ビデオデータ、オーディオデータ、サブタイトルデータ、及び／またはグラフィックデータは、該当クリップファイル内に多重化されて、インターリビングされて、または順次的に記録されることができる。前記ＭＰＥＧ  ２トランスポートストリームパケットは、それぞれ前記パケットが伝えるデータを識別するための固有のパケットＩＤ（ＰＩＤ：Ｐａｃｋｅｔ  ＩＤ）を含む。
【００３３】
例えば図４で、第１再生経路のビデオデータと第２再生経路のビデオデータを運ぶＭＰＥＧ  ２トランスポートストリームパケットはそれぞれ固有のＰＩＤ値である‘ＰＩＤ_Ｖ１’と‘ＰＩＤ_Ｖ２’を有する。同様に、第１再生経路のオーディオデータと第２再生経路のオーディオデータを運ぶＭＰＥＧ  ２トランスポートストリームパケットはそれぞれ固有のＰＩＤ値である‘ＰＩＤ_Ａ１’と‘ＰＩＤ_Ａ２’を有する。
【００３４】
第１再生経路のサブタイトルデータと第２再生経路のサブタイトルデータを運ぶＭＰＥＧ  ２トランスポートストリームパケットはそれぞれ固有のＰＩＤ値である‘ＰＩＤ_Ｓ１’と‘ＰＩＤ_Ｓ２’を有する。同様に、第１再生経路のグラフィックデータと第２再生経路のグラフィックデータを運ぶＭＰＥＧ  ２トランスポートストリームパケットはそれぞれ固有のＰＩＤ値である‘ＰＩＤ_Ｇ１’と‘ＰＩＤ_Ｇ２’を有する。
【００３５】
前記データストリームは複数のプレーリストまたはプレーアイテムと連係されることができる。例えば、データストリームとプレーリスト及び／またはプレーアイテムとの連係は再生経路、データストリーム内のデータの類型などによる。図４に図示した本発明の実施形態によるプレーアイテム及び／またはプレーリストはストリーム選択（Ｓｔｒｅａｍ  Ｓｅｌｅｃｔ）と呼ばれるストリーム指示（Ｓｔｒｅａｍ  Ｉｎｄｉｃａｔｉｏｎ）フィールドを含むが、前記ストリーム指示フィールドにより多様なデータストリームが前記プレーアイテムまたはプレーリストと連係される。すなわち、前記ストリーム選択フィールドは前記プレーアイテム及び／またはプレーリストと連係されるクリップ内のコンポーネントストリームのＰＩＤ値を含む。図４では、例えば前記第１プレーアイテムまたはプレーリスト（ＰｌａｙＬｉｓｔ  １）に対して、前記ストリーム選択フィールドは、第１再生経路のビデオとオーディオデータのＰＩＤ値である‘ＰＩＤ_Ｖ１’と‘ＰＩＤ_Ａ１’及び第２再生経路のサブタイトルとグラフィックデータのＰＩＤ値である‘ＰＩＤ_Ｓ２’と‘ＰＩＤ_Ｇ２’を指し示す。図４では、第２プレーアイテム及び／またはプレーリスト（ＰｌａｙＬｉｓｔ  ２）のストリーム選択フィールドが第２再生経路のビデオとオーディオデータのＰＩＤ値である‘ＰＩＤ_Ｖ２’と‘ＰＩＤ_Ａ２’及び第１再生経路のサブタイトルとグラフィックデータのＰＩＤ値である‘ＰＩＤ_Ｓ１’と‘ＰＩＤ_Ｇ１’を指し示すことを図示している。
【００３６】
図４に示したように、前記ストリーム選択フィールドはマルチ再生経路データから再生経路を形成するコンポーネントストリームを指し示すことができる。
【００３７】
図５は本発明が適用される光ディスク装置に対する一部構成を概略的に示したのである。図示したように、前記光ディスク装置は光ディスクからデータを再生するための光ピックアップ１１を含む。ＶＤＰ（Ｖｉｄｅｏ  Ｄｉｓｃ  Ｐｌａｙ）システム１２は、前記光ピックアップ１１の再生動作を制御して、前記光ピックアップ１１により再生されるデータをデコーディングする。前記ＶＤＰシステム１２は、ＡＶストリームを再生してこれをＤ／Ａ変換器１３に印加してアナログＡＶストリームを生成する。
【００３８】
前記ＶＤＰシステム１２は、前記光ピックアップ１１を制御して、ユーザーインターフェースを介して受信されるユーザー入力と本発明による光ディスクに記録されたナビゲーション及び管理情報を基礎にして再生されるデータをデコーディングする。例えば、前記ＶＤＰシステム１２は、前記プレーアイテム及び／またはプレーリストのストリーム選択フィールドに記録されるナビゲーション情報を参照する。
【００３９】
図６は図５のＶＤＰシステムの構成を具体的に示したものである。前記ＶＤＰシステム１２は、図６に示したように、ＰＩＤフィルター１２０、ビデオデコーダー１２１、オーディオデコーダー１２２、サブタイトルデコーダー１２３、グラフィックデコーダー１２４、及びマイコン１２５で構成されることができる。前記マイコン１２５は、再生要求、例えば第１再生経路のデータストリームに対する再生要求を受信すれば、前記第１再生経路と連係される第１プレーアイテム及び／またはプレーリスト（ＰｌａｙＬｉｓｔ  １）を検索して、前記プレーアイテム及び／またはプレーリストのストリーム選択フィールドにより指示されるＰＩＤ値を確認する。
【００４０】
そして、前記マイコン１２５は、前記ＰＩＤフィルター１２０の動作を制御して、再生されるＭＰＥＧ  ２トランスポートパケットのうちから前記第１プレーアイテム及び／またはプレーリストのストリーム選択フィールドが指示するＰＩＤを有するデータ（図４ではＰＩＤ_Ｖ１、ＰＩＤ_Ａ１、ＰＩＤ_Ｓ２、ＰＩＤ_Ｇ２）のみを選別する。抽出されたパケット、例えばビデオデータ、オーディオデータ、サブタイトルデータ、及びグラフィックデータのパケットは、前記ビデオデコーダー１２１、前記オーディオデコーダー１２２、前記サブタイトルデコーダー１２３、及び前記グラフィックデコーダー１２４にそれぞれ出力される。
【００４１】
前記ビデオデコーダー１２１、前記オーディオデコーダー１２２、前記サブタイトルデコーダー１２３、及び前記グラフィックデコーダー１２４はデータストリームをデコーディングして、前記第１プレーアイテム及び／またはプレーリストのストリーム選択フィールドが指示するデータストリームを選別して再生するようになる。
【００４２】
本発明の他の実施形態で、前記プレーアイテム及び／またはプレーリストのストリーム選択フィールドは、ＰＩＤ値の代わりに、アングル番号、ストーリー番号、パレンタル番号等のような、希望する再生経路に対する経路番号を含むこともできる。
【００４３】
本発明の実施形態にしたがって、ストリーム選択フィールドが、マルチ再生経路を示すコンポーネントデータストリームから一つの再生経路を指定したり指示するために使われることができる。しかし、本発明はマルチ再生経路の応用に限定されない。
【００４４】
図７は本発明による光ディスク記録及び再生装置に対する構成を示したものである。Ａ／Ｖエンコーダー９は、データ（例えば、ムービービデオとオーディオデータまたはただオーディオデータだけ、及び／または停止映像データ）を入力受けてエンコーディングして、コーディング情報とストリーム属性情報と共に多重化装置（Ｍｕｌｔｉｐｌｅｘｅｒ）８に出力する。多重化装置８は、例えば、ＭＰＥＧ−２伝送ストリーム（ＭＰＥＧ−２  ｔｒａｎｓｐｏｒｔ  ｓｔｒｅａｍ）を作るために、前記入力されるコーディング情報とストリーム属性情報を基礎にして前記エンコーディングされたデータを多重化する。ソース・パケッタイザー（Ｓｏｕｒｃｅ  ｐａｃｋｅｔｉｚｅｒ）７は前記多重化装置８から入力される伝送パケットを光ディスクのオーディオビデオフォーマットに合うソースパケットでパケット化する。図７に示したように、前記Ａ／Ｖエンコーダー９、前記多重化装置８、そして前記ソース・パケッタイザー７の動作は制御器１０により操縦される。前記制御器１０がユーザーから記録命令を受信すれば、前記Ａ／Ｖエンコーダー９、前記多重化装置８、そして前記ソース・パケッタイザー７に制御情報を送る。例えば、前記制御器１０は、前記Ａ／Ｖエンコーダー９に実行するエンコーディング類型を指示して、前記多重化装置８に作りだす伝送ストリームを指示して、そして前記ソース・パケッタイザー７にソースパケットのフォーマットを指示する。また、前記制御器１０は光ディスクに前記ソース・パケッタイザー７の出力を記録できるように駆動器（ｄｒｉｖｅ）３を制御する。
【００４５】
また、前記制御器１０は光ディスクに記録されているデータの再生を管理するためのナビゲーション情報と管理情報を作りだす。例えば、ユーザーとのインターフェース（ディスクに貯蔵されているかコンピュータシステムによりイントラネットまたはインターネットを介して提供する命令語）を介して受けた情報を基礎にして、前記制御器１０は前記光ディスクに図１ないし図１５のデータ構造のうち一つまたはそれ以上を記録するように前記駆動器３を制御する。
【００４６】
再生する間には、前記制御器１０はデータ構造を再生するように前記駆動器３を制御する。すなわち、ディスクに含まれた情報とユーザーインターフェース（記録及び再生装置の操作ボタンまたは前記装置と関連された遠隔操縦）を介して受けたユーザー入力を基礎にして、前記制御器１０は前記光ディスクからデータを再生するように前記駆動器３を制御する。例えば、本発明の実施形態を参照にして説明したように、データストリームはプレーアイテムのストリーム選択フィールドに対する参照を基礎にして再生される。
【００４７】
ソース・デパケッタイザー（Ｓｏｕｒｃｅ  Ｄｅｐａｃｋｅｔｉｚｅｒ）４は再生されたソースパケットを入力受けてＭＰＥＧ−２伝送パケットストリームのようなデータストリームに転換する。多重分離装置（Ｄｅｍｕｌｔｉｐｌｅｘｅｒ）５は前記データストリームをエンコーディングされたデータに逆多重化する。Ａ／Ｖデコーダー６はエンコーディングされたデータをデコーディングして元のデータに作る。再生する間、前記ソース・デパケッタイザー４、前記多重分離装置５、そして前記Ａ／Ｖデコーダー６の動作は前記制御器１０により操縦される。前記制御器１０がユーザーから再生命令を受信すれば、前記ソース・デパケッタイザー４、前記多重分離装置５、そして前記Ａ／Ｖデコーダー６に制御情報を送る。例えば、前記制御器１０は、前記ソース・デパケッタイザー４にソースパケットのフォーマットを指示して、前記多重化装置５に逆多重化する伝送ストリームを指示して、そして前記Ａ／Ｖデコーダー６に実行するデコーディング類型を指示する。
【００４８】
図７には記録と再生装置に関して図示しているが、図７の構成要素一部だけで記録動作または再生動作だけ提供する専用記録装置または専用再生装置も可能である。
【産業上の利用可能性】
【００４９】
本発明の実施形態による高密度記録媒体のデータストリームに対するデータ構造と管理方法により、ＢＤ−ＲＯＭのような高密度記録媒体に記録されるコンポーネントデータストリームを效果的に選択して再生することができるようになる。
【００５０】
また、本発明は記録媒体に記録されるデータストリームを管理するために、高密度記録媒体にデータ構造を記録する方法と装置を提供する。
【００５１】
また、本発明は停止映像の再生を管理するために、前記記録媒体に記録されるデータ構造を基礎にして、高密度記録媒体に記録されるデータストリームを再生する方法と装置を提供する。
【００５２】
以上、前述した本発明の望ましい実施形態は例示の目的のために開示されたものであって、前記ＢＤ−ＲＯＭ以外の他の光ディスクにも拡大適用が可能であり、また当業者ならば添付された特許請求範囲に開示された本発明の技術的思想とその技術的範囲内で、多様な他の実施形態を改良、変更、代替または付加などが可能である。
【図面の簡単な説明】
【００５３】
【図１】再記録可能ブルーレイディスク（ＢＤ−ＲＥ）の規格による再記録可能光ディスクのファイルまたはデータ構造を示したものである。
【図２】本発明による記録媒体ファイルまたはデータ構造に対する実施形態を示した図である。
【図３】図２のデータ構造を有する記録媒体を示した図である。
【図４】図１のデータ構造の一部と本発明による高密度記録媒体のデータストリームを管理する方法に対する具体的な実施形態を示した図である。
【図５】本発明が適用される光ディスク再生装置の一部に対する構成を示した図である。
【図６】図５のＶＤＰシステムの構成を具体的に示した図である。
【図７】本発明による光ディスク記録及び再生装置に対する構成を示した図である。
【図１】
2006520988.tif 000003
【図２】
2006520988.tif 000004
【図３】
2006520988.tif 000005
【図４】
2006520988.tif 000006
【図５】
2006520988.tif 000007
【図６】
2006520988.tif 000008
【図７】
2006520988.tif 000009
【国際調査報告】
2006520988.tif 000010